(57)【要約】【課題】  組立性がよく、コストが安価であり、点検作業の作業性がよく、整備作業性がよいエンジン作業機を提供する。【解決手段】  エンジン作業機の一例であるガスエンジン発電機１は、ケース１０内部に、前側から液化ガスボンベ、発電機及びボンベから供給される液化ガスを燃料として駆動するエンジン４０を収納してなる。ケース１０は、左サイドカバー１１、右サイドカバー１２、フロントボンベカバー及びリヤカバーを備える。左サイドカバー１１及び右サイドカバー１２を対向配置すると、エンジン４０等を収納可能な空間部１６を形成し、且つエンジン４０に取り付けられた点火プラグ、オイルゲージ及びエアクリーナ７２を露出可能な点検用開口部２２を形成する。点検用開口部２２にリヤカバーが着脱可能に取り付けられる。点検用開口部２２を介して点火プラグ９０、オイルゲージ８０及びエアクリーナ７２のメンテナンスが可能である。【選択図】  図５
2007064000.tif 000002
【特許請求の範囲】
【請求項１】
燃料の供給を受けて駆動するエンジン及び該エンジンからの動力を受けて所定作業を行う作業機を含むエンジン本体部をケースの内部に収納したエンジン作業機において、
前記ケースは、前記エンジン本体部の少なくとも幅方向左側を覆う左カバー部と、前記エンジン本体部の少なくとも幅方向右側を覆う右カバー部とを有し、前記左カバー部及び前記右カバー部を対向配置すると、前記エンジン本体部を収納可能な空間部を形成するとともに、前記エンジンに取り付けられた点火プラグ、オイルゲージ及びエアクリーナを点検できる程度に露出可能な点検用開口部を形成することを特徴とするエンジン作業機。
【請求項２】
前記点検用開口部には、着脱可能な一個のカバーが取り付けられることを特徴とする請求項１に記載のエンジン作業機。
【請求項３】
前記作業機は、前記エンジンからの動力を受けて駆動する発電機であることを特徴とする請求項１又は２に記載のエンジン作業機。
【請求項４】
前記燃料は、液化ガスであることを特徴とする請求項１から３のいずれかに記載のエンジン作業機。
【発明の詳細な説明】
【技術分野】
【０００１】
燃料の供給を受けて駆動するエンジンとエンジンからの動力を受けて所定作業を行う作業部を備えたエンジン作業機に関する。
【背景技術】
【０００２】
このようなエンジン作業機には、４サイクルエンジンによって発電機を駆動して発電を行うエンジン発電機がある。このエンジン発電機は、分割可能なケース内に４サイクルエンジンや発電機を収納し、エンジンに取り付けられた点火プラグやエアクリーナ等のメンテナンスを行う場合には、ケースを分割してエンジンを露出する必要がある。しかしながら、エンジンを露出しようとすると、エンジン発電機内に設けられた関連部品やコネクタ等の電気部品を取り外す作業が必要となり、エンジン露出作業が煩わしい。
【０００３】
そこで、特許文献１に記載されているように、エンジン発電機の外郭を構成するケースの左サイドカバーに点火プラグ交換用リッドを形成し、右サイドカバーにメンテナンス用リッドを形成して、ケースの分解を行うことなく点火プラグや右サイドカバーの内側に設けられたエアクリーナの点検を可能にしたものが提案されている。
【０００４】
【特許文献１】特許３５８５７７３号公報
【発明の開示】
【発明が解決しようとする課題】
【０００５】
上記のものは、点検個所毎にリッドが設けられているので、部品点数が増大して組立性が悪く、コストが増大するとういう問題がある。また点火プラグ、オイルゲージ及びエアクリーナは同時に点検する頻度が多く、点火プラグやエアクリーナを点検する場合、これらに対応するリッドの一方のみを開けてもこれら両方を点検することができないので、点検作業の作業性が悪い。
【０００６】
また点火プラグの点検用リッドとエアクリーナのそれはエンジンの左右に配設されているので、一方のリッドを開けて点検作業を行った後に他方のリッドを開けて点検作業を行うには、作業者がエンジンの左右一方側から他方側に作業場所を移動するか、エンジン発電機の向きを変えるかする必要があり、整備作業の作業性が悪いという問題がある。
【０００７】
さらに上記のものは、エンジンの下部に設けられたオイルゲージは右シュラウド半体によって覆われ、右シュラウド半体はボルトによってエンジンに固定され且つ右サイドカバーによって覆われている。このため、オイルゲージによる潤滑油の点検を行うには、メンテナンス用リッドを開けただけでは行うことができず、右シュラウド半体をエンジンから取り外す必要があり、点検作業の作業性が悪いという問題がある。
【０００８】
本発明は、このような問題に鑑みてなされたものであり、組立性がよく、コストが安価であり、点検作業の作業性がよく、整備作業性がよいエンジン作業機を提供することを目的とする。
【課題を解決するための手段】
【０００９】
このような課題を解決するため、本発明は、燃料の供給を受けて駆動するエンジン及び該エンジンからの動力を受けて所定作業を行う作業部（例えば、実施形態における発電機５０）を含むエンジン本体部をケースの内部に収納したエンジン作業機（例えば、実施形態におけるガスエンジン発電機１）において、ケースは、エンジン本体部の少なくとも幅方向左側を覆う左カバー部（例えば、実施形態における左サイドカバー１１）と、エンジン本体部の少なくとも幅方向右側を覆う右カバー部（例えば、実施形態における右サイドカバー１２）とを有し、左カバー部及び右カバー部を対向配置すると、エンジン本体部を収納可能な空間部を形成するとともに、エンジンに取り付けられた点火プラグ、オイルゲージ及びエアクリーナを点検できる程度に露出可能な点検用開口部を形成することを特徴とする。
【００１０】
この発明によれば、ケースは左カバー部と右カバー部とを有してなることにより、ケースを構成する部品数が少なくなり、組立性がよくなってコストを安価にすることができる。また左カバー部及び右カバー部を対向配置すると、エンジンに取り付けられた点火プラグ、オイルゲージ及びエアクリーナを点検できる程度に露出可能な点検用開口部が形成されるので、点検用開口部を介して点火プラグ、オイルゲージ及びエアクリーナの全ての点検作業を行うことができる。このため、これらの点検作業の作業性をよくすることができる。また作業者は点検用開口部に面するように位置してこれら全ての点検作業ができるので、点検作業に応じて作業者が移動したり、ガスエンジン発電機の向きを変えたりする必要性が少なくなり、整備の作業性を向上することができる。
【００１１】
また本発明の点検用開口部には、着脱可能な一個のカバー（例えば、実施形態におけるリヤカバー１４）が取り付けられることを特徴とする。
【００１２】
この発明によれば、点検用開口部に一個のカバーを着脱可能に取り付けることにより、点火プラグ等の点検が必要なときにはカバーだけを取り外すことで容易に点検用開口部を開口することができ、点火プラグ等の点検が不用なときは、カバーを装着することで、点検用開口部を塞いで点火プラグ等を保護するとともに、作業者がこれらに不用意に触れる虞を未然に防止することができる。
【００１３】
また本発明の作業機は、エンジンからの動力を受けて駆動する発電機であることを特徴とする。
【００１４】
この発明によれば、作業機を発電機にすることにより、組立性がよく、コストが安価であり、点検作業の作業性がよく、整備作業性がよいエンジン発電機を提供することができる。
【００１５】
さらに本発明の燃料は、液化ガスであることを特徴とする。
【００１６】
この発明によれば、燃料を液化ガスにすることにより、液化ガスを貯留した液化ガスボンベの使用が可能となり、ボンベの交換が可能な構造にすることで、小型のエンジン作業機を提供することができる。
【発明の効果】
【００１７】
本発明に係わるエンジン作業機によれば、ケースは左カバー部と右カバー部とを有してなり、左カバー部及び右カバー部を対向配置すると、エンジンに取り付けられた点火プラグ、オイルゲージ及びエアクリーナを点検できる程度に露出可能な点検用開口部を形成することにより、組立性がよく、コストが安価であり、点検作業の作業性がよく、整備作業性がよいエンジン作業機を提供することができる。
【発明を実施するための最良の形態】
【００１８】
以下、本発明に係わるエンジン作業機の好ましい実施の形態を図１から図５に基づいて説明する。本実施の形態は、手持ち式のガスエンジン発電機を例にして以下説明する。なお、図１はガスエンジン発電機の右側面視の内部構造図を示し、図２はガスエンジン発電機の平面視の内部構造図を示し、図５はガスエンジン発電機の背面視の斜視図を示す。
【００１９】
ガスエンジン発電機１は、図１及び図２に示すように、箱状に形成されたケース１０と、このケース１０の内部に収納された液化ガスボンベ３０と、このボンベの燃料出口から供給される液化ガスを燃料として駆動するエンジン４０と、エンジン４０からの動力を受けて発電する発電機５０等のエンジン本体部５１とを有して構成される。
【００２０】
先ず、ケース１０内に収納されるエンジン本体部５１について説明する。エンジン本体部５１の一部である液化ガスボンベ３０は、ケース１０内の前側に配設され、燃料液Ｌを貯留するボンベ本体部３１とボンベ本体部３１の先端部に突設されたヘッド３２とを有してなり、燃料出口を下方に向けて縦置きに配置されて、ケース１０内の前側底部に配設された装着部６０に着脱可能に装着される。液化ガスボンベ３０は、装着部６０に装着されると、ヘッド３２内に設けられた開閉弁（図示せず）が開いて液化ガスボンベ３０内の燃料液Ｌが装着部６０を通ってエンジン４０に設けられた後述するキャブレターに供給されるようになっている。
【００２１】
エンジン４０は、ケース１０内の後側に配設されたいわゆる４サイクルエンジンであり、クランクケース４１とシリンダブロック４２とシリンダヘッド４３とヘッドカバー４４とを備える。クランクケース４１内には潤滑油が貯留し、この潤滑油の量を点検するための図５に示すオイルゲージ８０がクランクケース４１の右側底部に設けられている。シリンダヘッド４３の後側には図５に示す点火プラグ９０が着脱可能に取り付けられている。エンジン４０のシリンダヘッド４３の左側面にはレギュレーター７０が取り付けられ、さらにその左側には吸気管を介してエアクリーナ７２が取り付けられている。またエンジン４０のシリンダヘッド４３の右側面から延びる排気管の後端部にはマフラー７４が取り付けられている。マフラー７４の右側面に設けられた排気管７５の先端部は後述するリヤカバーの図４に示す排気口１５に臨んでいる。
【００２２】
発電機５０は、エンジン４０と液化ガスボンベ３０との間に配設され、クランクケース４１から前方に延出するクランクシャフト４１ａの先端部に取り付けられている。発電機５０は、クランクシャフト４１ａの回転に応じて発電するようになっている。また発電機５０とエンジン４０との間には、冷却ファン５２がクランクシャフト４１ａと同軸上に配設され、クランクシャフト４１ａの回転に応じて冷却ファン５２が回転するようになっている。
【００２３】
このような液化ガスボンベ３０やエンジン４０等を収納するケース１０は、図３（斜視図）、図４（斜視図）及び図５に示すように、左サイドカバー１１、右サイドカバー１２、フロントボンベカバー１３及びリヤカバー１４を有して構成される。左サイドカバー１１及び右サイドカバー１２は、略左右対称に構成され、これらを対向配置すると、幅方向左側、幅方向右側及び上部が覆われて、内部に液化ガスボンベ３０やエンジン４０等のエンジン本体部５１を収納可能な空間部１６が形成される。そして上部に前後方向に延びる把手部１８を形成し、前端部に上下方向に延びる図１に示す前開口部２０を形成し、後上部に点検用開口部２２を形成する。左サイドカバー１１及び右サイドカバー１２は対向配置された状態でボルト及びナットの締結手段によって締結されて一体化される。
【００２４】
フロントボンベカバー１３は前開口部２０を覆うものであり、下端部を回動支点として上側が前後方向に回動自在である。フロントボンベカバー１３によって前開口部２０を開くと、空間部１６内に配設された液化ガスボンベ３０及びこれを装着する装着部６０の各側面側と液化ガスボンベ３０の底面部を露出すことができる。
【００２５】
点検用開口部２２は、ケース１０の後ろ上側部分とケース後側の左右両側面の上側部分が開口するように形成される。この点検用開口部２２を介してケース１０内に収納されたエンジン４０に取り付けられた点火プラグ、オイルゲージ及びエアクリーナ７２を点検できる程度に露出することができる。
【００２６】
点検用開口部２２を覆うリヤカバー１４は、上下方向に延びるカバー本体部１４ａと、カバー本体部１４ａの左右両側から前側へ延びる側板部１４ｂ、１４ｃと、カバー本体部１４ａの上端部から前側へ延びて側板部１４ｂ、１４ｃに繋がる天板部１４ｄとを有してなる。右側の側板部１４ｂには前述した排気口１５が設けられている。リヤカバー１４は、一体化された左サイドカバー１１及び右サイドカバー１２に締結手段（図示せず）によって固定される。
【００２７】
このように点検用開口部２２は、点火プラグ、オイルゲージ及びエアクリーナ７２を点検できる程度に露出可能に大きく開口しているので、これらのメンテナンスを行う場合には、リヤカバー１４をケース１０から取り外すだけで、点検用開口部２２を介して点火プラグ、オイルゲージ及びエアクリーナ７２の全ての点検作業を行うことができるので、これらの点検作業の作業性はよい。また作業者は点検用開口部２２に面するように位置してこれら全ての点検作業ができるので、点検作業に応じて作業者が移動したり、ガスエンジン発電機１の向きを変えたりする必要性が少なくなり、整備の作業性を向上することができる。
【００２８】
また、ケース１０は、左サイドカバー１１と右サイドカバー１２を主要部分として構成しているので、ケース１０を構成する部品数は少ない。このため、ガスエンジン発電機１は組立性がよくコストを安価にすることができる。
【００２９】
また、エンジン発電機１は交換可能な液化ガスボンベ３０を使用するので、多量な燃料を貯留可能なタンクを装備する必要がなく、エンジン発電機自体を小型化することができる。
【００３０】
なお、前述した実施例では、燃料に液化ガスを示したが、ガソリンを燃料としてもよい。またエンジン作業機の一例としてガスエンジン発電機１を示したが、手持式ブロワや背負動力噴霧機等の携帯用作業機でもよい。
【図面の簡単な説明】
【００３１】
【図１】本発明の一実施の形態に係わるガスエンジン発電機の右側面視における内部構造図を示す。
【図２】ガスエンジン発電機の平面視における内部構造図を示す。
【図３】ガスエンジン発電機の前側斜視図を示す。
【図４】ガスエンジン発電機の後側斜視図を示す。
【図５】点検用開口部が開口したガスエンジン発電機の後側斜視図を示す。
【符号の説明】
【００３２】
１  ガスエンジン発電機（エンジン作業機）
１０  ケース
１１  左サイドカバー（左カバー部）
１２  右サイドカバー（右カバー部）
１４  リヤカバー（カバー）
１６  空間部
２２  点検用開口部
３０  液化ガスボンベ
４０  エンジン
５０  発電機（作業部）
７２  エアクリーナ
８０  オイルゲージ
９０  点火プラグ
【図１】
2007064000.tif 000003
【図２】
2007064000.tif 000004
【図３】
2007064000.tif 000005
【図４】
2007064000.tif 000006
【図５】
2007064000.tif 000007